(57)【要約】【課題】電気配線を収納する機構を実現する。【解決手段】ケーブルガイド５２の鉛直方向の長さＨが約１１ｍｍの場合、爪７０の鉛直方向の長さＣは約３．５〜４ｍｍで、リブ７１の高さｈは約１〜２ｍｍである。よって、爪７０の先端から、その爪７０が設けられた面（ガイド上面８１またはガイド下面８２）に対向する面までの長さＣ’は、爪の鉛直方向の長さＣよりも長い。図７に示すように、オプションケーブル９０が爪７０とガイド上面８１またはガイド下面８２との間を通ってケーブルガイド５２に収納されたとき、各爪７０に対応する１対のリブ７１は、ケーブルガイド５２に収納されたオプションケーブル９０を爪７０の方向に押し上げたり押し下げたりすることになる。これにより、オプションケーブルが爪７０に引っかかりやすくなる。そして、オプションケーブル９０は、爪７０に引っかかることで、ケーブルガイド５２から外れにくくなる。【選択図】図７
2011064804.tif 000002
【特許請求の範囲】
【請求項１】
電子機器の筐体面において設けられた凹部であって、前記筐体面と当該凹部との境界をなす第１の縁領域と、当該第１の縁領域に向かい合って前記筐体面と当該凹部との境界をなす第２の縁領域とを有し、電気配線が通される前記凹部と、
前記第１の縁領域から前記２の縁領域に向かって、または、前記第２の縁領域から前記第１の縁領域に向かって突出した複数の第１の突出部と、
各々の前記第１の突出部を成型するときに用いられた金型が当該第１の突出部の成型後に抜かれるときに通った複数の開口部であって、前記筐体の外部空間と内部空間とを通じさせる前記開口部と、
前記凹部において各々の前記第１の突出部に向かい合った領域から、当該第１の突出部が設けられている領域に向かって突出した複数の第２の突出部と
を備え、
前記第１の突出部において、当該第１の突出部の成型時に前記金型と接していた部位の最小幅が、前記開口部の最小幅よりも小さい
ことを特徴とする電気配線収納機構。
【請求項２】
前記第１の突出部の各々に対応して、１対の前記第２の突出部が設けられており、
１対の前記第２の突出部を構成する一方の前記第２の突出部と他方の前記第２の突出部との間の領域に向かい合う領域に、１つの前記第１の突出部が設けられている
ことを特徴とする請求項１に記載の電気配線収納機構。
【請求項３】
請求項１または２に記載の電気配線収納機構が設けられ、当該電気配線収納機構に収納された電気配線を介して、他の電子機器と電力または電気信号の伝送を行う前記電子機器であって、
当該電子機器の一方の側面に前記他の電子機器が設けられ、
前記電気配線収納機構に収納された前記他の電子機器の電気配線が前記電子機器に接続される位置は、当該電子機器の他方の側面側に寄った位置に設けられている
ことを特徴とする電子機器。
【請求項４】
請求項１または２に記載の電気配線収納機構が設けられた第１の電子機器と、
電気配線を有し、前記電気配線収納機構に収納された当該電気配線を介して、前記第１の電子機器と電力または電気信号の伝送を行う第２の電子機器であって、前記第１の電子機器の一方の側面に設けられた前記第２の電子機器とを備え、
前記電気配線収納機構に収納された前記電気配線が前記第１の電子機器に接続される位置は、当該第１の電子機器の他方の側面側に寄った位置に設けられている
ことを特徴とする電子機器システム。
【発明の詳細な説明】
【技術分野】
【０００１】
本発明は、電気配線収納機構、電子機器及び電子機器システムに関する。
【背景技術】
【０００２】
画像形成装置を含む各種の電子機器においては、電源ケーブルや通信ケーブルなどの各種の電気配線を収納する工夫がなされている。例えば特許文献１には、画像形成装置に接続された自動原稿搬送装置の電源ケーブルを、画像形成装置の裏面に形成された凹部にフック体で止めるものが記載されている。また特許文献２には、画像形成装置の外装カバーに、電源ケーブルを案内する凹部と、電源ケーブルを装置本体に保持するためのリブとが設けられているものが記載されている。
【先行技術文献】
【特許文献】
【０００３】
【特許文献１】特開平１１−２０２５６７号公報
【特許文献２】特開２００３−０６６６６８号公報
【発明の概要】
【発明が解決しようとする課題】
【０００４】
本発明の目的は、電気配線を収納する機構を実現することにある。
【課題を解決するための手段】
【０００５】
上述した課題を解決するために、本発明の請求項１に記載の電気配線収納機構は、電子機器の筐体面に設けられた凹部であって、前記筐体面と当該凹部との境界をなす第１の縁領域と、当該第１の縁領域に向かい合って前記筐体面と当該凹部との境界をなす第２の縁領域とを有し、電気配線が通される前記凹部と、前記第１の縁領域から前記２の縁領域に向かって、または、前記第２の縁領域から前記第１の縁領域に向かって突出した複数の第１の突出部と、各々の前記第１の突出部を成型するときに用いられた金型が当該第１の突出部の成型後に抜かれるときに通った複数の開口部であって、前記筐体の外部空間と内部空間とを通じさせる前記開口部と、前記凹部において各々の前記第１の突出部に向かい合った領域から、当該第１の突出部が設けられている領域に向かって突出した複数の第２の突出部とを備え、前記第１の突出部において、当該第１の突出部の成型時に前記金型と接していた部位の最小幅が、前記開口部の最小幅よりも小さいことを特徴とする。
【０００６】
請求項２に記載の電気配線収納機構は、請求項１に記載の電気配線収納機構であって、前記第１の突出部の各々に対応して、１対の前記第２の突出部が設けられており、１対の前記第２の突出部を構成する一方の前記第２の突出部と他方の前記第２の突出部との間の領域に向かい合う領域に、１つの前記第１の突出部が設けられていることを特徴とする。
【０００７】
請求項３に記載の電子機器は、請求項１または２に記載の電気配線収納機構が設けられ、当該電気配線収納機構に収納された電気配線を介して、他の電子機器と電力または電気信号の伝送を行う前記電子機器であって、当該電子機器の一方の側面に前記他の電子機器が設けられ、前記電気配線収納機構に収納された前記他の電子機器の電気配線が前記電子機器に接続される位置は、当該電子機器の他方の側面側に寄った位置に設けられていることを特徴とする。
【０００８】
請求項４に記載の電子機器システムは、請求項１または２に記載の電気配線収納機構が設けられた第１の電子機器と、電気配線を有し、前記電気配線収納機構に収納された当該電気配線を介して、前記第１の電子機器と電力または電気信号の伝送を行う第２の電子機器であって、前記第１の電子機器の一方の側面に設けられた前記第２の電子機器とを備え、前記電気配線収納機構に収納された前記電気配線が前記第１の電子機器に接続される位置は、当該第１の電子機器の他方の側面側に寄った位置に設けられていることを特徴とする。
【発明の効果】
【０００９】
請求項１記載の電気配線収納機構によれば、電気配線を収納する機構を実現することができる。
請求項２記載の電気配線収納機構によれば、本構成を有しない場合に比べて、電気配線を安定的に収納することができる。
請求項３記載の電子機器によれば、電気配線を収納する機構の当該電気配線の収容性を良好にすることができる。
請求項４記載の電子機器システムによれば、電気配線を収納する機構の当該電気配線の収容性を良好にすることができる。
【図面の簡単な説明】
【００１０】
【図１】本発明の実施形態に係る画像形成装置を表側から見た斜視図である。
【図２】画像形成装置の要部を示す概略説明図である。
【図３】画像形成装置を裏側から見たときの斜視図である。
【図４】画像形成装置と後処理装置が接続された状態を裏側から見たときの平面図である。
【図５】画像形成装置と後処理装置が接続された状態を裏側から見たときの平面図を拡大したものである。
【図６】図５におけるケーブルガイドを矢視Ｉ−Ｉの方向から見たときの断面図である。
【図７】ケーブルガイドを拡大した斜視図である。
【図８】ケーブルガイドにケーブルが収納されたところを表した平面図である。
【図９】ケーブルガイドの変形例を表した平面図である。
【発明を実施するための形態】
【００１１】
以下、図面を参照して本発明の実施形態について説明する。
（１）実施形態
図１は、本発明の実施形態に係る画像形成装置１を正面から見たときの斜視図である。この画像形成装置１は、プリンタ装置や複写装置を兼ね備え、電子写真方式で画像を記録用紙に形成する画像形成装置である。この画像形成装置１の上面には、操作部２と、表示部３と、用紙排出部４とが設けられている。操作部２は、複数のキーなどからなり、例えば複写枚数やカラー或いは両面印刷などの各種設定に関するユーザの操作を受け付ける手段である。表示部３は、例えば液晶ディスプレイであり、ユーザに対する対話画面を表示する。用紙排出部４には、画像が形成された記録用紙が排出される。
【００１２】
図２は、画像形成装置１の要部を示す概略説明図である。画像形成装置１は、作像装置１０と、給紙装置１１と、定着装置２０とを備えている。作像装置１０は、画像情報に基づく未定着のトナー像を形成するとともにそのトナー像を最終的に用紙等の記録媒体９に転写する。給紙装置１１は、記録媒体９を収容するとともに記録媒体９を作像装置１０に搬送して供給する。定着装置２０は、作像装置１０で転写されたトナー像を記録媒体９に定着する。図２中の矢印付き一点鎖線は、記録媒体９の主な搬送経路を示す。
【００１３】
作像装置２は、例えば電子写真方式によってトナー像を形成して記録媒体１０に転写する。この作像装置２は、矢印方向に回転する感光ドラム１２と、感光ドラムの１２の表面を帯電させる帯電装置１３と、帯電した感光ドラム１２の表面に画像情報に応じた光を照射して静電潜像を形成する露光装置１４と、その感光ドラム１２上の静電潜像を現像剤に含まれるトナーにより現像してトナー像を形成する現像装置１５と、そのトナー像を給紙装置３から供給される記録媒体１０に転写する転写装置１６と、転写後の感光ドラム１２の表面に残留するトナー等を除去して清掃する清掃装置１７とを備えている。感光ドラム１２は、円筒状の基体に有機感光材料からなる光導電性層（感光層）が形成されたものである。帯電装置１３は、感光ドラム１２の表面に接触して回転する帯電ロールに帯電電圧を印加して帯電を行う接触帯電方式の帯電装置である。露光装置１４は、ＬＥＤ（発光ダイオード）式記録ヘッドや半導体レーザ走査装置等で構成されるものである。この露光装置１４には、画像形成装置１に内蔵又は接続される画像読取装置、記憶媒体読取装置或いはコンピュータ等のホスト機器から入力される画像情報に画像処理が施されて得られた画像信号が入力されるようになっている。
【００１４】
現像装置１５は、予め決められた色のトナーを含む現像剤を現像ロール１５ａを介して感光ドラム１２の表面に供給する。転写装置１６は、感光ドラム１２の表面に接触して回転する転写ロールに予め決められた転写電圧を印加して転写を行う。給紙装置３は、作像装置２に供給される記録媒体１０を積み重ねた状態で収容する収容カセット３１と、この収容カセット３１に収容されている記録媒体１０を１枚ずつ送り出して作像装置２に搬送する送出装置３２とを備えている。記録媒体１０は、例えば用紙、透明性シート、はがき等のシート状の記録媒体である。また、給紙装置３は、記録媒体１０を、収容カセット３１から、作像装置２における感光ドラム１２と転写装置１６との間の転写領域まで搬送するための複数の搬送ロール３３，３４を備えている。搬送ロール３４は、搬送される記録媒体１０を一時的に停止させた後、予め決められた送り出しタイミングが到来した時点で再び送り出すようになっている。
【００１５】
定着装置４は、筐体４１と、矢印方向に回転して記録媒体１０を加熱する回転体である加熱回転体５と、加熱回転体５に押し当てられる回転体である加圧回転体６とを備えている。加熱回転体５は、発熱する熱源を備えている。この熱源からの発熱によって、加熱回転体５の表面温度が定着に適した温度に保持される。加圧回転体６は、加熱回転体５の周面のうち、回転軸方向に沿った部分に予め決められた圧力で押し当てられている。加熱回転体５と加圧回転体６との接触部分が記録媒体１０に圧力を加える圧接部ＮＰである。搬送ロール３９は、定着後の記録媒体１０を定着装置４から排出する排出ロールである。
【００１６】
画像形成装置１は次のようにして画像を形成する。
まず、作像装置２において、感光ドラム１２が回転し始め、その回転する感光ドラム１２の表面が帯電装置１３により予め決められた帯電電位に帯電させられる。次に、帯電した感光ドラム１２の表面に露光装置１４から画像情報に応じた光が照射されて静電潜像が形成される。続いて、その静電潜像が感光ドラム１２の回転に伴って移動して現像装置１５を通過する際に、その潜像部分に現像装置１５の現像ロール１５ａから供給されるトナーが静電的に付着することで現像され、トナー像が形成される。この後、感光ドラム１２上のトナー像が、転写装置１６と対向する転写位置において、給紙装置３から搬送さてくれる記録媒体１０に転写される。トナー像の転写が終了した後の感光ドラム１２は、清掃装置１７によって清掃される。次いで、作像装置２において未定着のトナー像が形成された記録媒体１０は、定着装置４に搬送され、加熱回転体５と加圧回転体６との圧接部ＮＰに至る。定着装置４では、記録媒体１０が圧接部ＮＰにおいて加熱回転体５及び加圧回転体６に挟まれた状態で搬送され、その際に未定着のトナー像が加熱及び加圧されて記録媒体１０に定着させられる。記録媒体１０は、定着装置４から排出された後に排出口ール対３９等により搬送され、後処理装置に供給されたりする。
【００１７】
図３は、画像形成装置１を、正面（図１）とは反対側の裏側から見たときの斜視図である。
画像形成装置１の側面１０１には、画像が形成された用紙が排出される排出口１０３が設けられている。この排出口１０３には開閉可能な扉が設けられている。扉が開かれた状態で、後処理装置（図示略）が画像形成装置１の側面１０１に取り付けられる。この後処理装置は、画像形成装置１から排出された用紙に対してホッチキス止めやパンチ加工などの後処理を施し、後処理後の用紙を排出する。
【００１８】
画像形成装置１の裏面１０２には、リアカバー５０と、電源ケーブル５１と、ケーブルガイド５２と、電源供給部５３とが設けられている。電源ケーブル５１は、図示しない商用電源のコンセントに差し込まれることにより画像形成装置１に電力を供給する。リアカバー５０には、そのリアカバーの筐体面において凹んだ部位である、長手方向を有する凹部が形成されている。この凹部は、後処理装置に備えられたオプションの電源ケーブル（以下、オプションケーブルと言う）を収納して電源供給部５３に案内するケーブルガイド５２として機能する。電源供給部５３には、上記のオプションケーブルが接続される。電源ケーブル５１を通じて画像形成装置１に供給された電力は、電源供給部５３及びオプションケーブルを経由して後処理装置に供給される。ケーブルガイド５２と電源供給部５３とは、重力方向においてほぼ同じ高さに設けられている。ケーブルガイド５２は、後処理装置と電源供給部５３とを結ぶように、ほぼ水平方向に延びている。前述したように、画像形成装置１において排出口１０３が設けられている一方の側面１０１に後処理装置（図示略）が取り付けられる。ケーブルガイド５２に収納されたこの後処理装置のオプションケーブルが接続される電源供給部５３の位置は、画像形成装置１の他方の側面側（一方の側面１０１に対向する側面）に寄った位置に設けられている。ここで、仮に電源供給部５３が、後処理装置が取り付けられる側面１０１の側に寄っていると、オプションケーブルがケーブルガイド５２に収納された際に、オプションケーブルが湾曲した場合の曲率半径が小さくなり易いので、真っ直ぐな状態に戻ろうとする力が大きくなり、オプションケーブルがケーブルガイド５２から脱落し易くなる。一方、電源供給部５３の配置を本実施形態のような構成とすれば、オプションケーブルがケーブルガイド５２に収納された際に、オプションケーブルが湾曲した場合の曲率半径が大きくなり易く、更にオプションケーブルが湾曲していない直線部分を長く取り易くなるので、真っ直ぐな状態に戻ろうとする力が小さくなり、オプションケーブルの収容性を良好にすることができる。
【００１９】
図４は、画像形成装置１に後処理装置６０が取り付けられた状態を裏側から見たときの平面図である。ただし、図４では、後処理装置６０に備えられたオプションケーブルの図示を省略している。前述したとおり、後処理装置６０は、画像形成装置１の排出口１０３がある側面１０１に取り付けられる。この後処理装置６０は、画像形成装置１から排出された用紙に対して後処理を施して用紙排出トレイ６１に排出する。
【００２０】
図５は、画像形成装置１に後処理装置６０が取り付けられた状態を裏側から見たときの平面図を拡大したものである。また、図６は、図５におけるケーブルガイド５２を矢印Ｉ
−Ｉ方向から見たときの断面図である。また、図７は、ケーブルガイド５２の一部を拡大
した斜視図である。図５，６では、図４と同じく、後処理装置６０に備えられたオプションケーブルの図示を省略している。
図６に示すように、ケーブルガイド５２は、ガイド上面８１、ガイド側面８０、及びガイド下面８２という、主に３つの面からなる。ガイド上面８１及びガイド下面８２には、複数の爪７０が設けられている。これらの各爪７０は、図６，７に示すように、リアカバー５０から延長してそのまま鉛直方向の上方または下方に突出した矩形の板状部材である。各爪７０が設けられている位置をより詳細に説明すると、ケーブルガイド５２（凹部）は、リアカバー５０の筐体面とケーブルガイド５２（凹部）との境界をなす第１の縁領域Ｅ１と、その第１の縁領域に向かい合って筐体面とケーブルガイド５２（凹部）との境界をなす第２の縁領域Ｅ２とを有しており、爪７０は、第１の縁領域Ｅ１から第２の縁領域Ｅ２に向かって、または、第２の縁領域Ｅ２から１の縁領Ｅ１域に向かって突出するように設けられている。ガイド上面８１の第１の縁領域Ｅに設けられた爪７０は、リアカバー５０から延長してそのまま鉛直方向の下方に延び、ガイド下面８２の第２の縁領域Ｅ２に設けられた爪７０は、リアカバー５０から延長してそのまま鉛直方向の上方に延びる。上方に伸びる爪７０と下方に伸びる爪７０とは、水平方向に進むに従って、ガイド上面８１及びガイド下面８２に互い違いに配置されている。
【００２１】
また、図７に示すように、ガイド上面８１及びガイド下面８２には、ケーブルガイド５２の延伸方向とは垂直な方向に稜線を持つ畝状の複数のリブ７１が設けられている。これらのリブ７１は、各々の爪７０に対応して、その爪７０が設けられている領域（ガイド上面８１またはガイド下面８２と向かい合う面に、その爪７０が設けられている領域）に向かって突出するよう、それぞれ２つずつ設けられており、２つで１対のリブとなる。１つの爪７０に対応する１対のリブ７１は、爪７０と同じく、水平方向に進むに従ってガイド上面８１及びガイド下面８２に互い違いに設けられている。また、１つの爪に対応する１対のリブ７１は、その爪７０の水平方向の幅より外側に位置する箇所にそれぞれ一つずつ備えられる。つまり、１対のリブ７１を構成する一方のリブと他方のリブとの間の領域に向かい合う領域に、１つの爪７０が設けられている。
【００２２】
例えばケーブルガイド５２の鉛直方向の長さＨが約１１ｍｍの場合、爪７０の鉛直方向の長さＣは約３．５〜４ｍｍで、リブ７１の高さｈは約１〜２ｍｍである。よって、爪７０の先端から、その爪７０が設けられた面（ガイド上面８１またはガイド下面８２）に対向する面までの長さＣ’は、爪の鉛直方向の長さＣよりも長い。図７に示すように、オプションケーブル９０が爪７０とガイド上面８１またはガイド下面８２との間を通ってケーブルガイド５２に収納されたとき、各爪７０に対応する１対のリブ７１は、ケーブルガイド５２に収納されたオプションケーブル９０を爪７０の方向に押し上げたり押し下げたりすることになる。これにより、オプションケーブルが爪７０に引っかかりやすくなる。そして、オプションケーブル９０は、爪７０に引っかかることで、ケーブルガイド５２から外れにくくなる。
【００２３】
さて、図６に示すように、爪７０の裏側に位置するガイド側面８０には、開口部８５が設けられており、この開口部８５を介して、画像形成装置１の内部空間と外部空間とが通じている。この開口部８５は、ケーブルガイド５２を含む画像形成装置１の筐体を製造するときの都合で設けられたものであり、以下では、開口部８５が設けられた原因を明らかにするために、画像形成装置１の筐体の製造工程について説明する。
一般に、樹脂で筐体を製造するときには、筐体の形状に応じて用意された複数の金型を組み合わせ、これらの金型に対して溶解状態の樹脂を流し込み、樹脂素材が硬化したら金型を抜くという工程を経る。この工程に従って、前述したケーブルガイド５２周辺の筐体を製造するときには、図６に点線で示した上方部金型８３と下方部金型８４により形成された隙間に樹脂が流し込まれる。主に上方部金型８３によりガイド上面８１や爪７０が形成され、下方部金型８４によりガイド側面８０やガイド下面８２が形成される。樹脂が硬化すると、上方部金型８３や下方部金型８４を抜く必要があるが、これらの金型を抜くスペースが必要となる。
【００２４】
図６に示すように、爪７０とガイド上面８１またはガイド下面８２との間が開放されているので、下方部金型８４については、この開放スペースを利用して、図６の右側に向かって抜けばよい。一方、上方部金型８３については、開口部８５を通して図６の左側に抜く。つまり、この開口部８５は、爪７０を成型するときに用いられた上方部金型８３がその爪７０の成型後に抜かれるときに通った開口部であり、画像形成装置１の筐体の外部空間と内部空間とを通じさせる開口部である。この開口部８５は、画像形成装置１の製造後においてそのまま開口した状態になるが、開口部８５の裏側には画像形成装置１を制御するための図示しない基盤等が配置されている。これらの基盤には高電圧が印加されるものも含まれているから、開口部８５から例えばユーザの指、クリップ、シャーペンの芯等が入り込んで基盤等がショートし、画像形成装置１に不具合を及ぼすといった障害が生じる可能性がある。つまり、画像形成装置１の保護という安全性の点で懸念がある。そこで、少なくとも子供を含む人間の指が予め決められた長さ以上、この開口部８５から入り込まないよう、この種の開口部の最小幅として、例えば電気用品安全法における基準指定の試験指では、５．６ｍｍという大きさが決められている。このような事情を勘案して、開口部８５の鉛直方向の長さｈ１は、前述の５．６ｍｍ以下である約５ｍｍに設定されており、これにより、ユーザの指が開口部８５に入り込んで図示しない基盤等に接触することを防いでいる。また、開口部８５の前面には爪７０が形成されているから、この爪７０によっても、ユーザの指が開口部８５に届きにくいようになっている。
【００２５】
前述したように、爪７０の鉛直方向の長さＣは約３．５〜４ｍｍであり、開口部８５の鉛直方向の長さｈ１（約５ｍｍ）よりも小さく、Ｃ＜ｈ１という関係になっている。これを逆に、Ｃ＞ｈ１という関係にすると、爪７０とガイド側面８０との間に、上方部金型８３または下方部金型８４を抜けなくなる領域が生じてしまう。また、爪７０の長さＣを長くすると、オプションケーブル９０が爪７０に引っかかりやすくなるため、ケーブルガイド５２に収納された際のオプションケーブル９０の安定性は増す。しかしながら、Ｃ＜ｈ１という関係と満たさなければならないため、同時に製造時の金型使用の問題から開口部８５の長さｈ１も大きくなる。開口部８５のサイズが大きくなることは、前述の安全性の観点から好ましくない。このように、爪７０は、オプションケーブル９０をケーブルガイド５２に収納する際の安定性と、画像形成装置１の保護という安全性とを、両立し得るような大きさになっている。
【００２６】
図８は、ケーブルガイド５２にオプションケーブル９０が収納されたところを表した平面図である。ケーブルガイド５２にオプションケーブル９０が収納された状態では、ケーブルガイド５２の開口部８５がオプションケーブル９０により隠されることとなり、これにより、前述した画像形成装置１の保護という安全性が増す。
【００２７】
（２）変形例
上記の実施形態は、次のような変形も可能である。
（２−１）変形例１
図９は、画像形成装置１におけるケーブルガイド５２の変形例を表した平面図である。図９では、ケーブルガイド５２が、画像形成装置１のリアカバーにおいて斜め方向、つまり垂直方向及び鉛直方向の双方に傾いた方向に延びるように形成されている。この変形例１は、後処理装置６０においてオプションケーブルが接続されている位置が、画像形成装置１において電源供給部５２が設けられている位置よりも高い場合に有効な形態である。その他の変形例として、ケーブルガイド５２は曲線を描くように伸びていてもよい。
また、爪７０の形状は矩形状に限らず、曲線を持った形状でもよい。リブ７１の断面形状も、円形でも、矩形状でもよい。
また、開口部８５の鉛直方向の長さｈ１および爪の長さＣは、前述の５．６ｍｍ以下であれば、何ｍｍに設定しても構わない。
【００２８】
（２−２）変形例２
ケーブルガイド５２に収容されるケーブルは、或る電子機器から別の電子機器に電力を供給するものにかぎらず、これらの電子機器間でデータを伝送するものであってもよく、要するに電力または電気信号が伝送される電気配線であればよい。また、この電気配線によって接続される電子機器は、画像形成装置及び後処理装置の例に限定されず、ケーブルガイド５２に収納されたケーブルを介して、他の電子機器と電力または電気信号の伝送を行うものであれば、どのような電子機器であってもよい。また、本発明は、ケーブルガイド５２が設けられた第１の電子機器と、ケーブルを有し、ケーブルガイド５２に収納されたそのケーブルを介して、第１の電子機器と電力または電気信号の伝送を行う第２の電子機器とを備える電子機器システムとして実施することができる。
【符号の説明】
【００２９】
１…画像形成装置、２…操作部、３…表示部、４…用紙排出部、９…記録媒体、１０…作像装置、１１…給紙装置、２０…定着装置、２０…感光ドラム、２１…帯電装置、２２…露光装置、２３…現像装置、２３a…現像ロール、２４…転写装置、２５…清掃装置、３１…収容カセット、３２…送出装置、３３,３４…搬送ロール対、３９…排出ロール対、４０…筐体、４１…加熱回転体、４２…加圧回転体、５０…リアカバー、５１…電源ケーブル、５２…ケーブルガイド、５３…電源供給部、６０…後処理装置、６１…用紙排出トレイ、７０…爪、７１…リブ、８０…ガイド側面、８１…ガイド上面、８２…ガイド下面、８３…上方部金型、８４…下方部金型、８５…開口部、９０…オプションケーブル
【図１】
2011064804.tif 000003
【図２】
2011064804.tif 000004
【図３】
2011064804.tif 000005
【図４】
2011064804.tif 000006
【図５】
2011064804.tif 000007
【図６】
2011064804.tif 000008
【図７】
2011064804.tif 000009
【図８】
2011064804.tif 000010
【図９】
2011064804.tif 000011